(57)【要約】【課題】冷凍サイクル内の流動抵抗が少なく円滑に作動させることができるフィルタ付き電磁弁を提供する。【解決手段】弁本体２４に形成される弁室２２内にフィルタ４０を配置するために、フィルタ４０を構成する濾過ネット４２をネットホルダ４１に保持させ、ネットホルダ４１を弁室２２内に嵌合させる。弁室２２内壁と濾過ネット４２との間に隙間４５を形成させ、且つ、ネットホルダ４１の壁に濾過ネット４２に連通する凹み４６を形成させる。ネットホルダ４１は、弁本体２１の弁室壁面のカシメ部２３により固定されている。【選択図】図１
2004239348.tif 000002
【特許請求の範囲】
【請求項１】
弁本体に形成される弁室内にフィルタを配置したことを特徴とする電磁弁。
【請求項２】
上記フィルタを構成する濾過ネットをネットホルダに保持させ、該ネットホルダを上記弁室内に嵌合させたことを特徴とする請求項１記載の電磁弁。
【請求項３】
上記弁室の内壁と濾過ネットとの間に隙間を形成させ、又は／及び、ネットホルダの側壁に上記濾過ネットに連通する凹みを形成させたことを特徴とする請求項２記載の電磁弁。
【請求項４】
上記ネットホルダは、上記弁本体の弁室内壁面の突部により、固定されていることを特徴とする請求項２記載の電磁弁。
【請求項５】
上記突部は、カシメにより構成されていることを特徴とする請求項４記載の電磁弁。
【発明の詳細な説明】
【０００１】
【発明の属する技術分野】
この発明は、電磁弁に関し、詳しくは、流体濾過用のフィルタを具備する電磁弁する。
【０００２】
【従来の技術】
従来、電磁弁として種々のものが提案されており、例えば、下記特許文献１に示されるように、電磁弁の弁室外に冷媒内のスラッジ等の異物を除去するためのフィルタが取り付けられているものが提案されているが、これらの技術は、弁室内にフィルタを安定して装着することについての配慮がなされていない場合が多い。
【０００３】
【特許文献１】
特開２０００−２０５４３３号公報
【０００４】
【発明が解決しようとする課題】
そこで、この発明は、上記従来技術の電磁弁について検討した結果に基づき発明されたものであり、その目的は、電磁弁の弁室内にフィルタを配置することで、電磁弁内流路での流動抵抗が少なく円滑に作動させることができる電磁弁を提供することにある。
【０００５】
【課題を解決する手段】
この発明は、上記課題を達成するために、下記の手段を講じた。即ち、
請求項１記載の電磁弁は、弁本体に形成される弁室内にフィルタを配置したことを特徴とする。
かかる特徴により、フィルタを内蔵した電磁弁を提供することができる。
【０００６】
請求項２記載の電磁弁は、請求項１記載の電磁弁において、上記フィルタを構成する濾過ネットをネットホルダに保持させ、該ネットホルダを上記弁室内に嵌合させたことを特徴とする。
かかる特徴により、弁室内へのフィルタの取付・配置が容易な電磁弁を提供することができる。
【０００７】
請求項３記載の電磁弁は、請求項２記載の電磁弁において、上記弁室の内壁と濾過ネットとの間に隙間を形成させ、又は／及び、ネットホルダの側壁に上記濾過ネットに連通する凹みを形成させたことを特徴とする。
かかる特徴により、濾過機能が高い電磁弁を提供することができる。
【０００８】
請求項４記載の電磁弁は、請求項２記載の電磁弁において、上記ネットホルダは、上記弁本体の弁室内壁面の突部により、固定されていることを特徴とする。
かかる特徴により、弁室内におけるフィルタの変形が少なく、固定状態が安定した電磁弁を提供することができる。
【０００９】
請求項５記載の電磁弁は、請求項４記載の電磁弁において、上記突部は、カシメにより構成されていることを特徴とする。
かかる特徴により、弁室内へのフィルタの固定作業が容易な電磁弁を提供することができる。
【００１０】
【発明の実施の形態】
以下、この発明の実施の形態について図面を参照して説明する。図１はこの発明に係る電磁弁の縦断面図、図２は同電磁弁に装着されるフィルタの斜視図である。なお、下記の説明中、上・下・左・右の表現は、図面中の構成を説明する都合上の表現であり、実際にはこの表現通りの位置関係にあるとは限るものではない。
【００１１】
この発明の電磁弁Ｂは、駆動部１０と弁部２０とからなる。駆動部１０は、電源のオン・オフによりプランジャ１４の上下動に従って、弁部２０側のボール弁２７を上下動させて弁座２５の中心部に形成されている弁座孔２８を開閉させるものである。駆動部１０には円筒状で所定長さのパイプ部材１１の上方部に吸引子１２が固着され、該吸引子１２にボルト１６を介してコイル支持枠１５が取り付けられ、該コイル支持枠１５にコイル１３が設けられる。
【００１２】
また、パイプ部材１１内の吸引子１２下部には、プランジャ１４が上下移動可能に配置され、プランジャ１４の上部は吸引子１２と対向し、且つプランジャ１４と吸引子１２との間にはプランジャ室１４ａが形成されると共に、バネ１７がボール弁２７を閉弁する方向に縮装している。また、前記プランジャ１４には均圧孔１８が形成されており、該均圧孔１８は上記プランジャ室１４ａと後述の弁室２２とを連通している。また、プランジャ１４の下部は弁室２２内まで延設されると共に、該プランジャ１４の下端部には開閉弁を構成するボール弁２７がカシメ固定されている。
【００１３】
弁部２０における弁本体２１は上下に所定長さを有する円筒体で、その内面は水平断面が円形で所定高さの弁室２２となっており、その上部の径大孔部２４には、前記パイプ部材１１の下部が装着される。また、前記径大孔部２４の下部の弁室２２は、上記径大孔部２４の内径より小さい内径からなり、この弁室２２と径大孔部２４との間には段部２９が形成され、この段部２９がパイプ部材１１下端の当接部となると共に、後述のフィルタ４０のカシメ固定部２３を構成することになる。
【００１４】
また、弁本体２１の弁室２２底部には立上り部からなる弁座２５が形成され、その中心部には弁座孔２８が穿設されている。そして、前記弁室２２の側壁には貫通穴２６を介して第１パイプ３１が連結されていると共に、前記弁本体２１の底部の弁座孔２８に連通する第２パイプ３２が連結されている。
【００１５】
上記弁室２２内には冷媒濾過用のフィルタ４０が配置・固定される。そのために、このフィルタ４０は、特に図１，２に示すように、略円筒形状で弁室２２の内径より径小で且つ略同一高さに形成され、硬質金属、例えば、ステンレススチールを素材とするネットホルダ４１と、該ネットホルダ４１の外面に装着される濾過ネット４２からなる。
【００１６】
ネットホルダ４１はプランジャ１４の受入れ開口部となり、その側周部には複数、例えば、冷媒が流通する例えば４個の連通孔４７が形成され、また、下底の中心部には、前記弁座２５を構成する立上り部と嵌合する大きさの孔（符号なし）が形成される。なお、上記各連通孔４７は、冷媒の流れがスムースになるように、全体として円形状に形成されネットホルダ４１の外周側（貫通穴２６側）がより径大に構成されている。
【００１７】
上記ネットホルダ４１の外周部の全面には略円筒形状の濾過ネット４２が配置される。該濾過ネット４２は、例えば、真鍮線材から形成される網状物で形成されており、この網状物の目の大きさは、濾過の対象となる異物の大きさより小さく形成される。この濾過ネット４２の素材は、従来技術にかかるフィルタ４０を用いることもできる。
【００１８】
上記濾過ネット４２をネットホルダ４１に装着するには、濾過ネット４２の下部をネットホルダ４１の底部まで延出させると共に、その濾過ネット４２の上縁部を、ネットホルダ４１の折返部４４により固定している。しかも、ネットホルダ４１の折返部４４は弁本体２１のカシメ固定部２３により固定される。なお、濾過ネット４２をネットホルダ４１に装着した状態において、フィルタ４０の姿勢を安定的するために、濾過ネット４２の底面４２ａとネットホルダ４１の底面４１ａとが略同一面となることが望ましい。
【００１９】
本実施形態に係る電磁弁Ｂは、上記構成により、流体の流動サイクルの中に配置されたとき、電磁弁Ｂの中にフィルタ４０が内蔵されているから、電磁弁Ｂ近傍のサイクル管内に、フィルタ４０を配置する必要がない。
【００２０】
しかも、図１に示すように、濾過ネット４２の外側には、折返部４４の厚み相当分の外面間隙４５が弁室２２側壁との間に形成され、且つ、濾過ネット４２の内側には、ネットホルダ４１の凹み分に相当する幅の内面間隙４６が濾過ネット４２に連通して形成されている。これら外面間隙４５と内面間隙４６により、濾過ネット４２は弁室２２内面に密着することなく、また、プランジャ１４から所定距離だけ離れて配置されるので、濾過ネット４２が冷媒の流動（通過）の抵抗となることはない。
【００２１】
即ち、第１パイプ３１から第２パイプ３２の方向に冷媒が流れる場合であっても、或いは、逆に、第２パイプ３２から第１パイプ３１の方向に冷媒が流れる場合であっても、冷媒が濾過ネット４２外周の広い面積において通過して濾過が行われることから、濾過抵抗が少なく、また、濾過ネット４２によって捕捉される異物をこれらの上流側の隙間（４５又は４６）に貯めることができるから、長期間の使用に耐えうる電磁弁とすることができる。
【００２２】
【発明の効果】
以上の説明から理解される如く、本発明によれば、フィルタ抵抗が少なく、長期の連続使用に耐えうるフィルタ付き電磁弁を提供することができる。
【図面の簡単な説明】
【図１】この発明に係る実施例の電磁弁の縦断面図。
【図２】同実施例の要部（フィルタ）の斜視図。
【符号の説明】
Ｂ・・電磁弁                １０・・駆動部        １１・・パイプ部材
１２・・吸引子        １３・・コイル          １４・・プランジャ
１４ａ・・プランジャ室  １５・・コイル支持枠    １６・・ボルト
１７・・バネ            １８・・均圧孔
２０・・弁部              ２１・・弁本体                ２２・・弁室
２３・・カシメ固定部（突起）  ２４・・径大孔部    ２５・・弁座
２６・・貫通穴          ２７・・ボール弁        ２８・・弁座孔
２９・・段部                  ３１・・第１パイプ    ３２・・第２パイプ
４０・・フィルタ      ４１・・ネットホルダ    ４１ａ・・底面
４２・・濾過ネット    ４２ａ・・底面
４３・・上縁部        ４４・・折返部（カシメ部）
４５・・外面間隙      ４６・・凹み（内面間隙）    ４７・・連通孔
【図１】
2004239348.tif 000003
【図２】
2004239348.tif 000004